(57)【要約】      （修正有）【課題】使用済み粘着テープロール紙の剥離部を跨いだ毛髪や糸状のゴミを切断しながら使用済み粘着テープロール紙を剥離する粘着カーペットクリーナの粘着テープロール紙剥離治具を提供する。【解決手段】プラステック製の平板１２０の外周部にＶ字形状の切り欠き部１５０が備わり、切り欠き部の一部を覆うように扁平状の板の一方の面にカッターナイフの刃１１０が取り付けられた粘着テープロール紙剥離治具１００とする。【選択図】図１
0003228923.tif 000002
【実用新案登録請求の範囲】
【請求項１】
扁平状の板の外周部に切り欠き部が備わり、前記切り欠き部の一部を覆うように少なくとも前記扁平上の板の一方の面に刃状のものが取り付けられた粘着カーペットクリーナの粘着テープロール紙剥離治具。
【請求項２】
扁平状の板の外周部の一部領域に切り欠き部が備わり、前記切り欠き部の板厚が前記扁平状の板厚より薄くすることで刃形状とする粘着カーペットクリーナの粘着テープロール紙剥離治具。
【請求項３】
前記切り欠き部の深さが２ｍｍ以上８ｍｍ以下であることを特徴とする請求項１または請求項２記載の粘着カーペットクリーナの粘着テープロール紙剥離治具。
【考案の詳細な説明】
【技術分野】
【０００１】本考案は、粘着カーペットクリーナの使用済み粘着テープロール紙の剥離治具に関する。
【背景技術】
【０００２】粘着カーペットクリーナに使用される粘着テープロール紙は、円筒状の巻芯の外周に粘着テープを多層に巻き重ねることによりロール状に形成され、カーペットや畳などの表面上を転動させ塵埃を粘着テープの粘着面側に付着させて除去するものである。【０００３】しかし、使用済み粘着テープロール紙を剥離する際に粘着テープロール紙の先端部を摘み出すことが難しいだけでなく、毛髪や糸状のゴミが粘着テープロール紙の剥離部（切れ目）に跨った場合には強制的に剥がすと粘着テープロール紙が破れてしまう。
【先行技術文献】
【特許文献】
【０００４】
【特許文献１】特開２０１５−２１４６６６号公報
【特許文献２】特開２０１４−２０４７９０号公報
【特許文献３】特開２０１５−１１９９３６号公報
【考案の概要】
【考案が解決しようとする課題】
【０００５】特許文献１に於いては、カーペットクリーナ粘着テープの巻き終わり部を上にし、テープを手前から上方の向う側にめくる状態でテープ軸線に対し平行または仰角や俯角を付けてテープ表面にテープ軸方向左端より右へ約１５ｍｍを始点とし、直線や破線や段違い破線などの長い切り込み線を右端の終点まで入れ、次に此の長い切り込み線から円周方向の約１５ｍｍ手前にほぼ並列の左端または左端より右約５ｍｍを始点とし左端から右約４５ｍｍの終点まで同様の短い切り込み線を入れておくと、ゴミが付着し粘着力が無くなったときにはテープの軸方向左端外部に形成されているつまみ部を引き上げるとテープ表面が先ず短い切り込み線で切れ次に長い切り込み線で切れて短冊状に持ち上がるから、これをテープ左端まで引きこの短冊部をテープ面に指で押し付け接着させて引っ張るとテープ左端をはみだして切り離されテープ軸方向テープ外側に次回めくり用つまみ部が形成されるめくり用つまみ部形成カーペットクリーナ粘着テープが提案されている。【０００６】特許文献２は、円筒状をした巻芯の外周に表面が粘着面をなす粘着テープを多層に巻き重ねることによりロール状に形成すると共に、該粘着テープにロールの軸線方向の一端から他端に至る螺旋状の切れ目を設けた粘着テープロール紙において、前記粘着テープの粘着面の前記切れ目に接する縁部分に、筋状の着色部を前記切れ目に沿って該切れ目の一端から他端まで連続して形成したことを特徴とするカーペットクリーナ用粘着テープロールが提案されている。【０００７】特許文献３に於いては、ローラー式粘着テープの、１枚ずつ切り離す位置を巾０．５ミｍｍから４ｍｍ好ましくは１ｍｍから２ｍｍ切り取って無くしたカーペットクリーナ用粘着テープが提案されている。しかしながら、上述した特許文献にて提案されている粘着カーペットクリーナは確かに粘着面に付着した小さなサイズの塵埃の場合であれば使用後の粘着テープは剥がしやすくなるが、髪の毛や糸がロール紙に付着し、剥離部に跨った際にはロール紙を剥がすことが難しく、強制的に剥がすと破れてしまう。
【課題を解決するための手段】
【０００８】上記課題に鑑み、考案者は創意工夫の結果、いかなる粘着カーペットクリーナの粘着テープロール紙であっても簡単かつ容易に使用済み粘着テープロール紙を剥離するために、第一の実施形態として扁平状の板の外周部に切り欠き部が備わり、前記切り欠き部の一部を覆うように前記扁平上の板の少なくとも一方の面に刃状のものが取り付けられた粘着カーペットクリーナの粘着テープロール紙剥離治具を提案する。【０００９】第二の実施形態として、扁平状の板の外周部の一部領域に切り欠き部が備わり、前記切り欠き部の板厚が前記扁平状の板厚より薄くすることで刃形状とする粘着カーペットクリーナの粘着テープロール紙剥離治具を提案する。【００１０】前記切り欠き部の深さは２ｍｍ以上８ｍｍ以下としている。切り欠き部深さが２ｍｍ未満であると粘着テープロール紙の剥離部（切れ目）に沿って移動させる場合に切り欠き部が外れることがあり、８ｍｍより深いと粘着テープロール紙の剥離部（切れ目）に沿って移動させる場合に粘着テープロール紙剥離治具の移動が円滑に行えない。
【考案の効果】
【００１１】本考案の粘着カーペットクリーナの粘着テープロール紙剥離治具により、使用後の粘着テープロール紙の剥離部（切れ目）端部を剥がし、糸状のゴミを切断しながら前記剥離部（切れ目）に沿ってロール紙剥離治具を移動させることによりストレスなく粘着テープロール紙を剥がすことが可能となる。
【図面の簡単な説明】
【００１２】
【図１】第一実施形態である粘着テープロール紙剥離治具を示した外観図であり（ａ）表面、（ｂ）裏面
【図２】第一実施形態である粘着テープロール紙剥離治具による使用状況を示した図
【図３】第二実施形態である粘着テープロール紙剥離治具の切り欠き部の断面図
【図４】第二の他の実施形態である粘着テープロール紙剥離治具の切り欠き部の断面図
【図５】本考案である粘着テープロール紙剥離治具の形状を変えた例
【考案を実施するための形態】
【００１３】以下、図面を参照しつつ、本考案の実施の形態について説明する。
【実施例】
【００１４】本考案のロール紙剥離治具について、図１は第一実施形態であるロール紙剥離治具１００を示した外観図であり（ａ）は表面、（ｂ）は裏面を示す。
本考案の第一実施形態である粘着テープロール紙剥離治具１００は、１辺の長さが３ｃｍのギターピック形状を有するプラステック製の平板１２０について隅部から３ｍｍの位置を始点として幅３ｍｍ深さ４ｍｍのＶ字形状の切り欠き部１５０とし、前記Ｖ字形状の切り欠き部の底部には切り欠き部の一部を覆うようにカッターナイフの刃１１０を取り付けた構造である。【００１５】図２は、第一実施形態である粘着テープロール紙剥離治具１００による使用状況を示しておりカーペットクリーナ本体２００に取り付けられた使用済み粘着テープロール紙２５０の剥離部（切れ目）２６０を剥離治具１００の切り欠き部に隣接する端部にて剥がした後に、前記粘着テープロール紙剥離治具を前記剥離部（切れ目）に沿って移動している状態である。【００１６】図３は、第二実施形態である粘着テープロール紙剥離治具３００の切り欠き部の断面図であり平板の厚みｔが１．３ｍｍのプラステック製の平板３２０の一方の面から他方の面に向かって薄厚加させることにより刃形状としている。【００１７】図４は、第二実施形態の他実施例である粘着テープロール紙剥離治具４００の切り欠き部の断面図であり、平板の厚みｔが１．３ｍｍのプラステック製の平板４２０の両方の面から他方の面に向かって薄厚加させることにより刃形状としている。【００１８】図５は、本考案である粘着テープロール紙剥離治具の形状を変えた例であり、（ａ）は招き猫型粘着テープロール紙剥離治具５００でありプラステック製の招き猫形状を有する平板５２０に変更したものであり右手先端部がＵ字形状の切り欠き部５５０となっており、前記切り欠き部を薄くした第二実施形態である刃状のものを備えている。図５（Ｂ）は、瓢箪型粘着テープロール紙剥離治具６００でありプラステック製の瓢箪形状を有する平板６２０に変更したものであり瓢箪先端部がＵ字形状の切り欠き部６５０となっており、前記切り欠き部を薄くした第二実施形態である刃状のものを備えている。
【符号の説明】
【００１９】１００    第一実施形態である粘着テープロール紙剥離治具
１１０    カッターナイフの刃
１２０    プラステック製の平板
１５０    Ｖ字形状の切り欠き部
２００    カーペットクリーナ本体
２５０    使用済み粘着テープロール紙
２６０    剥離部（切れ目）
３００    第二実施形態である粘着テープロール紙剥離治具
３２０    プラステック製の平板
４００    第二実施形態の他実施例である粘着テープロール紙剥離治具
４２０    プラステック製の平板
５００    招き猫型粘着テープロール紙剥離治具
５２０    プラステック製の招き猫形状を有する平板
５５０    Ｕ字形状の切り欠き部
６００    瓢箪型粘着テープロール紙剥離治具
６２０    プラステック製平板の形状を瓢箪
６５０    凹部領域
ｔ        平板の厚み
【図１】
0003228923.tif 000003
【図２】
0003228923.tif 000004
【図３】
0003228923.tif 000005
【図４】
0003228923.tif 000006
【図５】
0003228923.tif 000007
【手続補正書】
【提出日】令和2年7月16日(2020.7.16)
【手続補正１】
【補正対象書類名】実用新案登録請求の範囲
【補正対象項目名】請求項１
【補正方法】変更
【補正の内容】
【請求項１】
扁平状の板の外周部に切り欠き部が備わり、前記切り欠き部の一部を覆うように少なくとも前記扁平状の板の一方の面に刃状のものが取り付けられた粘着カーペットクリーナの粘着テープロール紙剥離治具。